(57)【特許請求の範囲】
【請求項１】
移動電話（５から７）宛ての着信呼を基地局（２、３）から送信し、前記移動電話から発信呼を前記基地局へ送信する、移動電話ネットワーク（１）の電波の到達範囲内の１つのゾーン（１９）を、前記移動電話ネットワーク（１）の前記基地局（２、３）と前記移動電話（５から７）の間の通信から保護する方法であって、
前記電波の到達範囲内の前記ゾーンに優先的な基地局（２０）が配置されており、前記方法は、
前記移動電話から、前記優先的な基地局（２０）の交換回路（２１）に、前記移動電話の装置番号の情報（１２）を送り、前記装置番号の情報（１２）を前記交換回路（２１）に記憶するステップと、
前記優先的な基地局（２０）により前記交換回路（２１）に記憶された前記移動電話の装置番号を認識するステップと、
前記優先的な基地局（２０）が前記移動電話の装置番号を認識した場合に、前記優先的な基地局（２０）により管理されるネットワークにより前記移動電話を受け入れ、前記優先的な基地局（２０）により管理されるネットワークへ移動電話が受け入れられたことを知らせる受け取りメッセージを前記優先的な基地局（２０）から前記移動電話へ送信し、前記優先的な基地局（２０）により、前記移動電話宛の着信呼と移動電話が送信する発信呼を遮断（２８）するステップと、を有する、ことを特徴とする方法。
【請求項２】
優先的な基地局が、公共基地局および個人基地局を許容する無線電話システム（ＣＴＳ）プロトコルにより前記ゾーン（１９）にある移動電話と通信することを特徴とする、請求項１に記載の方法。
【請求項３】
優先的な基地局が、ブルートゥースタイプの短距離無線通信プロトコルにより前記ゾーン（１９）にある移動電話と通信することを特徴とする請求項１に記載の方法。
【請求項４】
優先的な基地局が、移動電話が接続された無線通信ネットワークとの切断メッセージを、前記ゾーン（１９）にある移動電話に送信することを特徴とする請求項３に記載の方法。
【請求項５】
優先的な基地局が、個人基地局特性を示すメッセージを移動電話に送信し、
移動電話が前記メッセージを解釈して、前記個人基地局の利用に自動的に切り換える（２２）ことを特徴とする請求項２に記載の方法。
【請求項６】
呼を遮断するために、移動電話に記録されている優先権（２２）に応じて公共モードから個人モードに移動電話の利用を切り換えることを特徴とする請求項１、２、５のいずれか一項に記載の方法。
【請求項７】
優先的な基地局が、優先権の特性を前記移動電話に示す手段を含み、その結果、移動電話が、前記優先的な基地局の利用に自動的に切り換えることを特徴とする請求項１に記載の方法。
【請求項８】
発信呼を遮断するために、利用不能メッセージが送られることを特徴とする請求項１、２、５から７のいずれか一項に記載の方法。
【請求項９】
着信呼を遮断するために、着信呼を音声メールサービスシステム（３３、３４）に転送することを特徴とする請求項１、２、５から８のいずれか一項に記載の方法。
【請求項１０】
優先的な基地局により管理される移動電話の最新のリスト（２６）を維持し、
着信メッセージを音声メールメモリに記憶し、
前記ゾーンにもはやいない移動電話に、移動電話がゾーンにいる間に記憶され、関与する入力メッセージを伝送することを特徴とする請求項９に記載の方法。
【請求項１１】
優先的な基地局の音声メールメモリに、メッセージを記憶することを特徴とする請求項１０に記載の方法。
【請求項１２】
呼を遮断するため、前記ゾーン内にいる前記移動電話機に着信呼を送信した端末に対して、遮断の性質および／または条件に関する情報を送信することを特徴とする請求項１から１１のいずれか一項に記載の方法。
【発明の詳細な説明】
【０００１】
本発明は、移動電話の領域で主に利用可能な電波保護方法を目的とする。本発明の目的は、特に、劇場、映画館、会議場といった、目に付く公共ゾーンにおける移動電話の呼出音、または移動電話と交換される会話の不都合な介入を制限することにある。
【０００２】
現在、このタイプの通信が行われないようにするための大学の階段教室その他の利用出来るシステムは、かなり単純である。これらのシステムは、移動電話に単純な命令を送り、たとえば呼出音を禁止するスクランブラまたは送信機から主に構成されている。スクランブラは、一定の範囲の全ての周波数で任意に、無視できない出力でスクランブル信号を送る。スクランブル信号は、これらのスクランブラの範囲の移動電話に対して、こうした移動電話宛ての呼び出し信号または会話信号に重ねられる。これらの移動電話は、その場合、こうした重畳によって生ずる信号を解釈することができない。すなわち、通信が切断される。
【０００３】
このようなシステムは、遮断ノイズの拡散ゾーンを有効に制限できないという欠点を有する。その結果、保護する必要はないが、このような保護ゾーンの近傍の一定の領域が、ノイズの拡散によって影響を受ける。こうしたゾーンでは、移動電話との通信がランダムに不可能になる。
【０００４】
また、このようなスクランブラの設置は違法である。
【０００５】
呼出音を禁止するために移動電話に命令が送られる場合、これらの命令は、通信の設定を妨げない。さらに、簡単な送信機は、こうした端末との共通通信手段をもたなければならないが、実現が難しい。たとえば赤外線技術が、全ての移動電話に存在するわけではない。しかしながら、一人の通信が他の大勢の通信を妨害するという問題は、着信呼出し、すなわち移動電話の呼出音を開始する呼と、発信呼、すなわち移動電話の所持者が離れている相手と連絡を取ろうとする呼とを遮断することによって、解決しなければならない。
【０００６】
この問題は、本発明によれば、電波保護ゾーンに、スクランブラではなく優先的な基地局を配置することによって解消される。一般に、一つのゾーン、特に感知ゾーンは、一人、さらには複数の移動電話オペレータのいる基地局の電波でカバーされている。問題が発生するのは、まさに、こうした感知ゾーンがこのように電波でカバーされているからである。
【０００７】
本発明の着想は、感知ゾーンでカバーされる優先的な基地局を構成することにある。このため、感知ゾーンが（少なくとも）２回カバーされている。このゾーンは、移動電話のオペレータを持つ通常の基地局のカバーゾーンと、優先的な基地局とでカバーされる。優先的な基地局は、特別なオペレータに移動電話を帰属させるという制約のないものでなければならない。実際、優先的な基地局は、加入者特性とは無関係に、カバーする移動電話と通信可能でなければならない。本発明の実施形態では、優先的な基地局が、通信の遮断に導く通信管理モードを採用している。着信呼は、もはや接続されない。発信呼の場合は、移動電話はネットワークを利用できないというメッセージを受信する。
【０００８】
基地局を優先的にする手段は複数ある。本発明の改良によれば、移動電話通信は、これらの移動電話が、いわゆるＣＴＳ規格によって基地局と交換する場合、遮断されやすくなる。このような規格では、個人基地局と公共基地局とが区別される。この場合、特にコスト上の理由から、移動電話は、公共タイプの利用から、個人タイプの利用に自動的に切り変える装置を備える。実際には、個人利用の場合、通信は、個人自動交換機の役割を果たす個人基地局から、公共交換電話ネットワークを経て安価で中継される。従って、移動電話は利用順位を有し、個人利用が、公共利用よりも優先される。好適な実施形態では、本発明による優先的な基地局は、移動電話により、この移動電話の利用モードの切り換えもできる個人基地局として認識される基地局である。
【０００９】
第二の実施形態によれば、優先的な基地局は、ブルートゥースタイプの短距離無線通信プロトコルによって、保護ゾーンにある移動電話と通信する。
【００１０】
第一の変形実施形態によれば、この優先的な基地局が、移動電話の帰属する無線通信ネットワークへの切断メッセージを、前記ゾーンにある移動電話に送信する。
【００１１】
第二の変形実施形態によれば、優先的な基地局は、公共交換ネットワークに接続され、前記ゾーンにある移動電話との通信をＣＴＳ規格を用いた実施形態と似た方法で管理する。
【００１２】
従って、本発明の目的は、移動電話ゾーンの電波保護方法にあり、
移動電話宛ての着信呼を基地局から送信し、
移動電話からの発信呼を基地局で受信し、
前記ゾーンに優先的な基地局を配置して、この優先的な基地局により、
そのゾーンの移動電話へのアクセスを遮断し、
優先的な基地局が、加入者特性とは無関係に移動電話によって認識可能であることを特徴とする。
【００１３】
本発明は、添付図面を参照しながら以下の説明を読めば、いっそう明らかになるであろう。添付図面は、例として挙げられており、本発明を少しも限定するものではない。
【００１４】
図１は、本発明の方法を実施するために利用可能な手段の全体を示している。移動電話ネットワーク１は、移動電話オペレータの中央回路４に接続される基地局群２、３から構成される。基地局２、３により、移動電話５から７は、互いに、あるいは、たとえば電話８によりつながれる他の電話相手と連絡を取ることができる。実際には、移動電話５から７と電話８との間の接続線に、電話交換ネットワーク９がしばしば介在する。ネットワーク４による移動電話の管理モードは既知のタイプである。この管理モードは、特に、一定の規格に沿ったものである。特に、ＧＳＭ（グローバル移動体システム（Ｇｌｏｂａｌ  Ｓｙｓｔｅｍ  ｆｏｒ  Ｍｏｂｉｌｅ））および、様々な周波数帯域におけるその変形（ＤＣＳ、ＰＣＳ、ＵＭＴＳ）が知られている。
【００１５】
ＧＳＭ規格によれば、各移動電話５は、その回路に、いわゆるＳＩＭ（加入者識別モジュール（Ｓｕｂｓｃｒｉｂｅｒ  Ｉｄｅｎｔｉｔｙ  Ｍｏｄｕｌｅ））回路１０を備え、移動電話５の所持者が申し込んだ加入の参照情報と、中央サービス４を管理するオペレータとについての情報を主に与える。要するに、回路ＳＩＭ１０は加入者参照情報１１を含んでいる。この情報はまた、ＩＭＳＩ（国際加入者情報（Ｉｎｔｅｒｎａｔｉｏｎａｌ  Ｍｏｂｉｌｅ  Ｓｕｂｓｃｒｉｂｅｒ  Ｉｎｆｏｒｍａｔｉｏｎ））とも呼ばれる。移動電話５は、この電話の他のメモリに、シリーズ番号あるいは、もっと一般的には電話５の装置番号に関する情報１２を含む。装置番号はまた、ＩＭＥＩ（国際移動装置識別番号（Ｉｎｔｅｒｎａｔｉｏｎａｌ  Ｍｏｂｉｌｅ  Ｅｑｕｉｐｍｅｎｔ  Ｉｄｅｎｔｉｆｉｃａｔｉｏｎ））とも呼ばれる。
【００１６】
中央回路４では、移動電話５の移動を追跡する対応メモリー１３と、移動電話５宛てに送られる全ての通信のアドレスメモリーとを区別している。ここで概略的に示したメモリ１３は、複数のフィールドを持つ記録部を含む。第一のフィールド１４は、移動電話を接続可能な電話番号を含むフィールドである。第二のフィールド１５は、移動電話の所有者が申し込んだ加入特性に対応するフィールドである。実際には、フィールド１５は、この記録部に、ＳＩＭ回路１０に記憶された指示に対応する指示を含む。第三のフィールド１６で、メモリ１３は、移動電話５を接続可能な一つまたは複数の基地局名を更新する。
【００１７】
これらの手段の構成と、メモリ１３の更新とは、次のように行われる。電話５の通話開始時、電話５は、中央回路４に加入特性１１を伝達する。この伝達は、一つの基地局、たとえば基地局２を介して行われる。この場合、中央回路４は、テーブル１３の対応する記録部を補い、フィールド１４、１５（フィールドは、互いに常に結合されている）と対比して、移動電話がその始動を知らせたフィールド１６に基地局ＳＢｉ、ここでは基地局２のリファレンスを書き込む。対比は簡単に行われる。何故なら、中央回路４が加入特性１１を受け取って、対応する記録部をサーチできるからである。相手が、電話機８から移動電話５の所持者に接続しようとする場合、この相手は、移動電話に与えられた電話番号を押す。テーブル１３では、中央回路４が、フィールド１４にある電話番号と対比して、この移動電話５を接続可能なフィールド１６で基地局ＳＢｉの名前を見つけることができる。その後、中央回路４は、基地局ＳＢｉを作動し、この基地局が、着信呼を送信する。実際には、基地局は、移動電話５の呼出音をならす（あるいは他のあらゆる方法で知らせる）。
【００１８】
移動電話の複数のオペレータが存在し、共同で同じ地域全体を管理することができる。たとえば、移動電話の第二のオペレータの中央回路１７が、基地局１８により、基地局２、３と同じゾーンをカバーできる。移動電話５は、通話開始時は、契約により接続されているオペレータの中央回路４においてしか、有効に記録することはできず、フィールド１６を有効に完成することはできない。回路１７は、たとえば、中央回路４のための加入特性を認識しない。
【００１９】
破線の平行六面体の空間で概略的に示した感知領域１９に、個人基地局２０を配した。個人基地局２０は、私設交換回路２１と連絡をとる。個人基地局２０は、家庭で使用できる家庭内の基地局、もしくは企業内で使用するための職場の基地局である。説明を簡潔にするために、基地局２０は、基地局２が予め実施可能であったのと同じ方法で移動電話５と連絡することができる。
【００２０】
しかしながら、この基地局の個人性は、回路２１による移動電話５の予備認識により実現される。予備認識は、基地局２０の設置時または新しい移動電話５の購入時に一度限り行われる。このような認識中、移動電話５は基地局２０に接近し、回路２１で特別な問い合わせを行なう。特別な問い合わせの間、移動電話５は、回路２１に、その装置番号の情報１２を送る。このやり取りは、移動電話５に対応する装置番号の記録を回路２１で受け取って記憶することにより続けられる。
【００２１】
既知の通常モードでは、この回路２１でその後の接続に関して、加入情報を検証しない。事実、加入特性は、中央回路４のオペレータが管理するのであって、回路２１の所有者が管理するわけではない。だが、基地局２０のネットワークでどんな移動電話も受け入れてしまわないようにするために、回路２１で、装置番号１２がきちんと記憶されているかどうか検証する。
【００２２】
このようにすることによって、移動電話５は、基地局２によってカバーされる環境に到着すると、基地局２に、その加入番号と装置番号とを同時に伝達する。中央回路４は、加入番号情報を主に使用することによって、この移動電話を記録する。反対に、移動電話５が基地局２０の環境に到着すると、回路２１は、上記で予め認識した装置番号を主に考慮することによって、この移動電話を記録する。中央回路４のオペレータにより管理されるサービスに対応する加入番号を電話５が持たない場合、基地局２は、電話５を無視する。すなわち、この移動電話は、基地局２との通信に入ることができない。同様に、基地局２０および回路２１が予め移動電話５を認識していない場合、基地局２０および回路２１は、電話５を無視する。
【００２３】
本発明では、ゾーン１９を保護するために、このゾーンを優先的な基地局に従属させている。
【００２４】
第一の実施形態では、優先的な基地局が、ＣＴＳ（無線電話システム（Ｃｏｒｄｌｅｓｓ  Ｔｅｌｅｐｈｏｎｅ  Ｓｙｓｔｅｍ））規格に対応する個人タイプの基地局２０である。このような実施は特に有利である。何故なら、ＣＴＳ規格では、電話５が、個人基地局２０または公共基地局２（中央回路４のオペレータに属する基地局）のどちらかと作動可能であるからである。実際、この場合は、基地局との交換プロトコルが、ほぼ同じである。ＣＴＳ規格は、ＧＳＭ規格を補完したものである。特に、送信周波数管理、タイムスロットの同期管理、および、一般には通信を実施するあらゆる組織が非常に似通っている。この規格に沿った移動電話は、さらに、一方のネットワークに優先性を与えられる回路を含む。このため、こうした移動電話は、優先権の使用が個人使用である（あるいは逆に公共使用である）ことを課せる指示２２をメモリに有する。
【００２５】
ＣＴＳ規格によれば、基地局２０が移動電話５を認識すると、基地局は、受け入れを了承するメッセージを送ると同時に個人性基地局であることを電話５に知らせる。こうした了承は、次のように行われる。移動電話５と基地局２との通信時に、この移動電話５は、接続可能な基地局のリファレンスを示す信号メッセージを、遅くとも２秒毎に規則正しく送信する。同領域を管理する基地局２０は、もちろん、これらのメッセージをキャッチする。一方で、基地局２０は、移動電話５との接続可能な基地局を認識する。他方で、基地局２０は、記憶されたリスト内の電話５の装置番号を認識できる。場合によっては、基地局２０は、接続案内を電話５に宛てて送信する。何故なら、ゾーン１２で利用可能な装置番号と回路２１に記憶された装置番号との比較によって、移動電話５が認識されたからである。
【００２６】
情報２２によって実現される優先権の適用にあたり、移動電話５は切り換えて、個人基地の使用に移行する。こうした既知の動作は、もちろん、利用者に対して、通信費用を下げる手段を提供する。事実、基地局２０の回路２１は、電話交換ネットワーク９に直接接続され、電話５が、移動電話の範囲で一般に有効な料金よりも安い料金を享受することができる。
【００２７】
第二の実施形態では、優先的な基地局は、ブルートゥースタイプの短距離無線通信プロトコルによりカバーゾーンに配置される移動電話と通信可能な、個人タイプの基地局２０である。
【００２８】
この規格は、７２１ｋｂｔ／ｓにまで及ぶデジタルビットレートにより、２．４ＧＨｚの周波数範囲で作動する無線技術である。この規格によれば、通信スペースは、マスター局を中心として規定され、移動電話のような機器は、マスター局に同期して、マスター局に対してスレーブの役割を果たす。
【００２９】
この実施形態では、優先的な基地局２０が、前記マスター局として特徴づけられている。
【００３０】
上記のＣＴＳの実施形態と同様に、基地局２０は、電話交換ネットワーク９に直接接続され、移動電話５を個人基地局として認識する。
【００３１】
さらに、この規格に従う移動電話は、そのメモリに、優先的な使用を個人使用と課すことができる指示２２を有する。
【００３２】
本発明では、ゾーン１９の電波を保護するために、このようなアーキテクチャ（ＣＴＳ、ブルートゥースまたは他のあらゆる同等システム）を用いる。このため、ゾーン１９に、個人基地局２０と、この個人基地局の管理回路２１とを配置する。しかしながら、これらの回路２１は、不都合な電話呼出しの害に対して有効な保護をもたらすために、既知のバージョンに変更が加えられる。
【００３３】
図２ａに、公共基地局２または個人基地局２０と移動電話５とが接続されるところを概略的に示した。こうした接続は、主に認識要求２３を含む。認識要求は、基地局または移動電話から送られる。認識要求２３に続いて、基地局による移動電話の認識テスト２４が行われる。テスト２４．１では、基地局が公共タイプの基地局であり、テストは、加入者番号情報１１と同じ情報を含むフィールド１５をメモリ１３に見つけることからなる。基地局が個人基地局である場合、テスト２４．２は、装置５の番号に対応する装置の番号１２が予め記録された装置５のものかどうか回路２１のメモリでサーチすることからなる。いずれの場合にも、サーチが成功する場合、ステップ２４に、既知の方法の通信管理ステップ２５が続く。認識が行われない場合、基地局は、ただ単に、認識されない移動電話を操作２６で無視するだけである。
【００３４】
本発明では、図２ｂの認識要求ステップ２３の後に電話管理ステップ２５が直接続く。従って、認識テストは省かれている。換言すれば、本発明による基地局２０は、電話５の存在をその環境で検知し、この移動電話を予め知っているわけではないので、通常は、基地局２０が電話５を管理しようとしていると知らせるために電話５の受け取りメッセージを送信する必要はない。本発明では、基地局２０により移動電話が検知されるという事実だけで、基地局が、そのメモリ２６に、電話５の装置番号１２に対応する記録を記録する。その場合、基地局は、自動的にこの装置を知っているとみなす。その後、基地局２０および回路２１は、電話５に受け取りメッセージを送って、基地局２０が管理するネットワークで電話が受け入れられたことを知らせる。優先的な個人ゾーンに情報２２があるかどうかに応じて、電話２５は、公共基地局２の使用から個人基地局２０の使用に切り換えられる。
【００３５】
個人基地局２０と、この基地局の管理回路２１とにより、ゾーン１９の保護のために二つの主要操作を実施可能である。第一に、操作２７によって、中央回路４のオペレータのネットワークに電話５が今や基地局２０に従属していることを知らせる。第二に、また主に本発明では、操作２８によって、電話５宛ての呼、あるいは電話５が送信する呼を遮断する。
【００３６】
たとえば電話５は、切換時に、基地局２に対して、基地局２０のカバーエリアに入るために基地局２のカバーエリアから出ることを知らせる。この場合、中央回路４のゾーン１６に存在する情報は、基地局２０に関する指示に対応するように修正される。実際には、電話８を電話５につなごうとする場合、電話交換ネットワーク９が回路４に呼を送る。ゾーン１６のメモリ１３に、基地局２０のリファレンスおよびその接続回路２１が存在するのは、ネットワーク９が中央回路４により改めて作動され、同様に電話交換ネットワーク９に接続される回路２１に到達するようにするためである。こういった状況で、着信する通信は、基地局２で伝達するのではなく、基地局２０で伝達可能である。
【００３７】
回路２１では、本発明の優先的な基地局が、さらに、メモリ２６と、プロセッサ２９と、バス３１により全体が接続されたプログラムメモリ３０とを含む。プログラムメモリ３０に記録されたプログラム３２は、ネットワークの情報操作とゾーンの保護操作との二つの操作２７、２８を実施する。変形実施形態では、実際には、電話５が、基地局２を離れる際に回路４のオペレータに予告していない場合、この警報は、プログラム３２により実施可能であって、プログラム３２は、対応するメッセージを（ネットワーク１９を介して）このオペレータに送信させる。場合によっては、オペレータ４の情報が発生することさえない。この場合、全ては、あたかも基地局２が常に電話５を管理しているかのように続けることができる。しかし、基地局２が移動電話５に着信呼を報知しようとすると、実際には基地局２０により管理されている電話５は、電話５宛ての、着信呼の到着に関する情報をキャッチできるような可能性は全くないといった、時間フレームの周波数および同期計画に従う。
【００３８】
反対に、回路４のオペレータが予告を受けている場合、着信呼は、回路２１を介して送信される。この場合、遮断動作を実施するプログラム３２は、着信呼を電話５まで運ばない。こうした場合、また先の場合、回路２１または回路４は、呼を発信する相手に様々なタイプの失敗メッセージを送ることができる。第一のタイプでは、発信者に送り返されるメッセージは、相手が出られないというメッセージであり、さらには、ビジーメッセージである。好適には、送られるメッセージは、音声ボックスと接続されるメッセージである。音声ボックスは、回路４または回路２１に実現可能である。いずれの場合にも、音声ボックス３３または３４は、加入者番号または装置番号に対応する記録部に結合される。音声ボックス３３が使用される場合、遮断２８は、回路２１の情報をプログラム３２を介して回路４に送信することによって行われ、この情報により、移動電話が停止される。この場合、音声ボックス３３への切り換えは、自動的に行われる。この切り換えは、回路４のオペレータによって知らされる。
【００３９】
変形実施形態では、回路２１のメモリが、各装置の記録部と対比して、電話５宛てのメッセージを記録するための音声ボックス３４を形成するメモリゾーンを有する。電話５の所持者がゾーン１９を去ると、その電話は、基地局２０に信号を送ることができなくなる。こうした状況で、基地局２０は、この電話５との接続を失う。接続喪失時に、基地局２０および回路２１は、ネットワーク９を介して電話５に呼を送り、記憶されたメッセージを伝送する。変形実施形態では、基地局２または別の基地局への再接続時に、電話５は、この電話５が基地局２０のカバーエリアにある間に音声ボックス３３に保存されたメッセージを知らされる。
【００４０】
変形実施形態では、基地局２０および回路２１が、発信者に対して、電話５の所持者が感知ゾーン１９におり、移動電話に対しては遮断されているが、上演終了時点で、たとえば一定の時間からは再びつなぐことができると知らせる。この場合、発信者に、遮断の性質および／または条件についての情報を送る。
【００４１】
送出される呼に対しては、遮断は、もっとずっと簡単である。各試みに対し、基地局２０は、ネットワークに働きかける移動電話に、ネットワークが利用できないというメッセージを送る。その場合、電話５は、基地局２０以外の基地局を通過する手段を持たない。何故なら、電話５は、当然のことながら、ゾーン２２により選択された優先的な基地局であるものとして基地局２０と接続されているからである。電話５に送られるメッセージは、音声メッセージまたはＳＭＳタイプのメッセージであり、その内容が電話５の画面にディスプレイされる。
【００４２】
この動作は、持続的でなくともよい。特に、劇場における動作の範囲では、基地局２０が上演時間中だけ上記のような動作をとるように構成することができる。この場合、上演終了時に起きる状況を管理しなければならない。この場合、上演が終了すると、基地局２０および回路２１は、移動電話５にメッセージを送って、基地局が切断されることを示し、他の基地局を探すよう命じることができる。このタイプのメッセージは、既に知られている。このメッセージは、いわゆるハンドオーバータイプのメッセージである。ここでの特徴は、基地局２０が受信基地局２の同意を得ずに移動電話５との接続を切断することにある。この場合、移動電話５は、個人基地局ばかりではなく考えられる全ての基地局の中から利用可能な基地局を探す。その場合、当然、移動電話は、同様にゾーン１９をカバーする基地局２に従属することになる。
【００４３】
個人基地局２０を有するよりもむしろ、各ゾーン１９に追加基地局を設けてもよい。追加基地局は優先的な基地局となり、ネットワークの別の基地局２に取って代わることができる。その場合、優先的な基地局は、カバーゾーンに配置される全ての移動電話により認識されうる公共基地局である。この基地局は、ＰＬＭＮ（公共陸上移動ネットワーク（Ｐｕｂｌｉｃ  Ｌａｎｄ  Ｍｏｂｉｌｅ  Ｎｅｔｗｏｒｋ））等の汎用優先ネットワークの名で呼ばれる。また、特に、様々な公共ネットワーク間のいわゆるローミング協定によって、接続される公共ネットワークとは無関係に、あらゆる移動電話との通信を可能にできる手段を含む。
【００４４】
この基地局は、たとえばゾーン１９の内部、すなわち劇場の内部に配置される。
【００４５】
優先的な基地局は、そのカバーゾーンに配置される移動電話に優先権の特性を告げる手段を含み、その結果、移動電話は、この優先的な基地局の使用に自動的に切り換えられる。かくして、優先的な基地局は、たとえばその送信出力により、ゾーン１９に存在する全ての移動電話のための最適な解決方法として認識される。この場合、回路４は、従属下にある全ての移動電話を管理するこうした追加基地局のための、優先的な選択を含む。この場合、優先性という概念は、移動電話との最適の通信品質に由来する。このため、移動電話が優先的な基地局の範囲に到着するたびに、基地局２から優先的な基地局に向かってハンドオーバーが引き起こされる。こうした優先的な基地局に結合されて、オーレータの回路４で回路２１に対して記載した動作と同様の動作が行われる。プログラム３２は、少なくとも上演時間中は呼出しを遮断する。
【００４６】
本発明の別の実施形態によれば、優先的な基地局は、ブルートゥースタイプの短距離無線通信プロトコルにより、カバーするゾーンに配置される移動電話と通信可能な装置２０’である。このように、カバーゾーンに配置される移動電話５は、装置２０’をブルートゥース付属品と見なす。
【００４７】
この装置２０’は、前記移動電話５が帰属する無線通信ネットワークへの接続遮断メッセージを、カバーゾーンに配置される移動電話５に送信する手段を含む。
【００４８】
特定の実施形態では、装置２０’が定期的にメッセージＭを送るように構成してもよい。
【００４９】
図３を参照すると、装置２０’は、移動電話５にメッセージＭを送り、移動電話５は、接続される個々の基地局２、３にメッセージＩを伝送する。すると基地局は、接続遮断命令Ｄを移動電話に返送する。
【００５０】
この方法は、ユーザに対してトランスペアレントである。さらに、移動電話５は、カバーゾーンを出ると、無線通信ネットワークの基地局２、３に再び接続されるよう試みられる。
【図面の簡単な説明】
【図１】  移動電話ネットワークと、優先的な基地局と、この優先的な基地局により感知ゾーンを遮断する本発明の原理の第一の実施形態とを概略的に示す図である。
【図２ａ】  従来の方法による認識ステップと、基地局による電話通信の管理ステップとを示す図である。
【図２ｂ】  本発明による方法の認識ステップと、基地局による電話通信の管理ステップとを示す図である。
【図３】  優先的な基地局により感知ゾーンを遮断する本発明の原理の第二の実施形態を示す図である。
【図１】
0004493252.tif 000002
【図２ａ】
0004493252.tif 000003
【図２ｂ】
0004493252.tif 000004
【図３】
0004493252.tif 000005